(57)【特許請求の範囲】
【請求項１】
時刻を計数する計時手段と、
時刻を表示する時刻表示手段と、
世界の時間と現地時間との関係を表わす現地時間付属情報を記憶する記憶手段と、
無線通信を行う第１無線通信手段と、
所定の通信相手と通信接続可能なように前記第１無線通信手段により当該通信相手と通信設定情報を送受信して通信設定を行う第１通信設定制御手段と、
前記通信設定の際に、前記通信相手が前記現地時間付属情報の通知データを送信可能な通信仕様を有しているか判別する通信仕様判別手段と、
前記通信仕様判別手段により前記通信仕様を有していると判別された場合に前記通信相手から前記通知データを取得して前記記憶手段へ前記現地時間付属情報を設定する第１設定制御手段と、
前記通信仕様判別手段により前記通信仕様を有していないと判別された場合に、前記通信相手が前記通信仕様によらずに前記現地時間付属情報の取得と転送とを行う付属情報取得転送処理の起動要求を前記第１無線通信手段により前記通信相手に送信する起動要求送信手段と、
前記起動要求の送信後に前記通信相手から前記現地時間付属情報のデータが転送されてきた場合に、このデータを受信して当該データに基づき前記記憶手段へ前記現地時間付属情報を設定する第２設定制御手段と、
を備えたことを特徴とする電子時計。
【請求項２】
前記第１通信設定制御手段により実行される前記通信設定は、
１回実行されることで、毎回実行することなく前記通信相手と通信接続可能となる設定であることを特徴とする請求項１記載の電子時計。
【請求項３】
前記記憶手段に記憶された前記現地時間付属情報に基づき、前記時刻表示手段に現地のタイムゾーンとは別のタイムゾーンの時刻を表示することが可能な表示制御手段を備えていることを特徴とする請求項１又は２に記載の電子時計。
【請求項４】
前記現地時間付属情報には、
現地のタイムゾーン情報および夏時間の情報が含まれることを特徴とする請求項１〜３の何れか一項に記載の電子時計。
【請求項５】
請求項１〜４の何れか一項に記載の電子時計と、当該電子時計の通信相手となる情報端末とを備えた通信システムであって、
前記情報端末は、
前記第１無線通信手段と無線通信が可能な第２無線通信手段と、
所定の通信相手と通信接続可能なように前記第２無線通信手段により当該通信相手と通信設定情報を送受信して通信設定を行う第２通信設定制御手段と、
通信ネットワークに接続してデータ通信可能なデータ通信手段と、
現地の地区情報を取得可能な地区情報取得手段と、
前記地区情報取得手段により現地の地区情報を取得させた後、前記データ通信手段により前記通信ネットワークを介して前記地区情報に対応する前記現地時間付属情報を取得させ、その後、前記第２無線通信手段により当該現地時間付属情報のデータを前記電子時計に転送させる付属情報取得転送処理を実行する処理実行手段と、
前記電子時計から前記付属情報取得転送処理の起動要求を受信した場合に前記処理実行手段により前記付属情報取得転送処理を実行させる起動要求応答手段と、
を備えていることを特徴とする通信システム。
【請求項６】
前記地区情報取得手段は、測位衛星の信号を受信して現地の地区情報を取得する構成、或いは、携帯電話網の基地局との無線通信により当該基地局から現地の地区情報を取得する構成であることを特徴とする請求項５記載の通信システム。
【請求項７】
請求項１〜３の何れか一項に記載の電子時計の前記第１無線通信手段と無線通信可能な第２無線通信手段と、現地の地区情報を取得可能な地区情報取得手段と、通信ネットワークに接続してデータ通信可能なデータ通信手段とがそれぞれ接続されたコンピュータに、
前記地区情報取得手段により現地の地区情報を取得させる第１制御機能と、
この第１制御機能により取得された前記現地の地区情報に対応する前記現地時間付属情報を前記データ通信手段により前記通信ネットワークを介して取得させる第２制御機能と、
この第２制御機能により取得された前記現地時間付属情報のデータを前記第２無線通信手段により前記電子時計に送信させる第３制御機能と、
を実現させるプログラム。
【発明の詳細な説明】
【技術分野】
【０００１】
この発明は、無線通信手段を有する電子時計、この電子時計と情報端末とからなる通信システムおよびそのプログラムに関する。
【背景技術】
【０００２】
以前より、ブルートゥース（Bluetooth：登録商標）などの無線通信機能を搭載して、携帯電話機などと無線通信を行えるようにした腕時計が開発されている。
【０００３】
また、ブルートゥースの通信規格において、近年、現地時間のデータをやり取りするためのサービス（プロファイルと呼ばれる）や、現地のタイムゾーンや夏時間の設定状況を表わす現地時間の付属情報をやり取りするためのオプション機能の策定が図られている。
【０００４】
また、本願発明に関連する従来技術として、特許文献１には、携帯電話から腕時計へ時刻情報を無線送信して腕時計の時刻修正を行うシステムが開示されている。特許文献２には、電子時計において現地時間の時差設定を行うことで、世界各地の時刻を表示するワールドタイム機能を実現する技術が開示されている。特許文献３には、基地局との交信により時差情報を取得してローカルタイムの設定を行う携帯電話機の技術が開示されている。
【先行技術文献】
【特許文献】
【０００５】
【特許文献１】特開２００９−１１８４０３号公報
【特許文献２】特開２００９−１２８２９６号公報
【特許文献３】特開２００４−２３６１０３号公報
【発明の概要】
【発明が解決しようとする課題】
【０００６】
本発明者らは、電子時計において、所定の無線通信規格に備わる標準化された通信仕様を利用したデータのやり取りによって、通信相手から現地時間データを受信して時刻修正を行ったり、通信相手から現地時間付属情報のデータを受信して、ワールドタイム機能に必要な時差設定等を自動的に行ったりする技術の開発を行っている。標準化された通信仕様を利用することで、通信相手を選ばない汎用性が備わることになる。
【０００７】
しかしながら、ブルートゥース等の無線通信規格においては、種々のデータをやり取りするために策定されている複数種類のサービスのうち、必要なサービスを選択的に実装できるようになっており、さらに、１つのサービスの中にも実装と非実装とを選択できるオプション機能が含まれる。従って、この無線通信規格を採用している機器であっても、現地時間付属情報のデータをやり取りするために策定された標準化された通信仕様が使用できない場合がある。
【０００８】
そのため、この通信仕様を使用できる機器が電子時計の通信相手として組み合わされた場合には、この機器と電子時計との間で標準化された通信仕様に従ったデータのやり取りを行わせて、電子時計のワールドタイム機能に必要な時差設定等を自動的に行うことができる。しかしながら、この通信仕様が実装されていない機器が電子時計の通信相手として組み合わされた場合には、標準化された通信仕様のデータのやり取りによって時差設定等を行うことができず、なんら工夫がないと、時差設定等が行われないままとなるという課題が生じる。
【０００９】
この発明の目的は、通信相手に所定の通信仕様が備わっているか否かに拘らずに、ワールドタイム機能に必要な電子時計のデータ設定を自動的に行うことのできる電子時計、通信システムおよびプログラムを提供することにある。
【課題を解決するための手段】
【００１０】
本発明は、上記目的を達成するため、
時刻を計数する計時手段と、
時刻を表示する時刻表示手段と、
世界の時間と現地時間との関係を表わす現地時間付属情報を記憶する記憶手段と、
無線通信を行う第１無線通信手段と、
所定の通信相手と通信接続可能なように前記第１無線通信手段により当該通信相手と通信設定情報を送受信して通信設定を行う第１通信設定制御手段と、
前記通信設定の際に、前記通信相手が前記現地時間付属情報の通知データを送信可能な通信仕様を有しているか判別する通信仕様判別手段と、
前記通信仕様判別手段により前記通信仕様を有していると判別された場合に前記通信相手から前記通知データを取得して前記記憶手段へ前記現地時間付属情報を設定する第１設定制御手段と、
前記通信仕様判別手段により前記通信仕様を有していないと判別された場合に、前記通信相手が前記通信仕様によらずに前記現地時間付属情報の取得と転送とを行う付属情報取得転送処理の起動要求を前記第１無線通信手段により前記通信相手に送信する起動要求送信手段と、
前記起動要求の送信後に前記通信相手から前記現地時間付属情報のデータが転送されてきた場合に、このデータを受信して当該データに基づき前記記憶手段へ前記現地時間付属情報を設定する第２設定制御手段と、
を備えたことを特徴とする電子時計である。
【発明の効果】
【００１１】
本発明に従うと、通信相手が現地時間付属情報の通知データを送信可能な通信仕様を有している場合には、この通信仕様を利用して通信相手から現地時間付属情報を取得して、このデータ設定を行うことができる。所定の通信仕様を利用することで、通信相手を余り選ぶことのない高い汎用性を持って、同様の設定処理を実現できる。一方、通信相手が現地時間付属情報の通知データを送信可能な通信仕様を有していない場合には、通信相手に付属情報取得転送処理の起動要求を送信して、上記の通信仕様によらずに現地時間付属情報の取得を試みるので、通信相手が付属情報取得転送処理の機能を導入していれば、この付属情報取得転送処理により通信相手から現地時間付属情報を取得してデータ設定を行うことができる。
【図面の簡単な説明】
【００１２】
【図１】本発明の実施形態の通信システムを表わした図である。
【図２】実施形態の電子時計の全体構成を示すブロック図である。
【図３】実施形態の携帯電話機の全体構成を示すブロック図である。
【図４】電子時計のＣＰＵによりペアリング操作時に実行される制御処理の手順を示すフローチャートである。
【図５】携帯電話機のＣＰＵにより実行されるブルートゥース受信処理の制御手順を示すフローチャートである。
【図６】携帯電話機のＣＰＵにより実行されるローカルタイム情報取得転送処理の制御手順を示すフローチャートである。
【図７】電子時計のＣＰＵにより実行されるワールドタイムモード処理のフローチャートである。
【発明を実施するための形態】
【００１３】
以下、本発明の実施の形態を図面に基づいて説明する。
【００１４】
図１には、本発明の実施形態の通信システムを表わした図を示す。図２には、その電子時計４０の全体構成を示すブロック図を、図３には、携帯電話機１０の全体構成を示すブロック図を、それぞれ示す。
【００１５】
この実施形態の通信システムは、図１に示すように、ブルートゥース通信機能がそれぞれ搭載されている電子時計４０および情報端末としての携帯電話機１０とから構成される。
【００１６】
電子時計４０は、図２に示すように、機器の全体的な制御を行うＣＰＵ（中央演算処理装置）４１と、ＣＰＵ４１が実行する制御プログラムや制御データを格納したＲＯＭ（Read Only Memory）４２と、ＣＰＵ４１に作業用のメモリ空間を提供するＲＡＭ（Random Access Memory）４３と、外部から指令を入力する操作用のスイッチ４４と、計時手段として現在時刻データを計数する計時回路４５と、時刻表示手段としての表示や種々の機能表示を行う液晶表示部（ＬＣＤ）４６と、液晶表示部４６を駆動するドライバ４７と、アンテナＡＮ４１を介して近距離無線通信を行う第１無線通信手段としてのブルートゥースモジュール４８と、ブルートゥースモジュール４８を介して送受信されるデータに対してシリアル／パラレル変換等のデータ処理を行うＵＡＲＴ（Universal Asynchronous Receiver Transmitter）４９と、振動によりユーザに通知を行う振動モータ５０およびそのドライバ５１と、発光して液晶表示部４６を照らす発光ダイオード（ＬＥＤ）５２およびそのドライバ５３と、ブザー音によりユーザに報知を行うピエゾ素子５４およびそのドライバ５５と、ＣＰＵ４１と各部との間で信号をやり取りするバス５６等を備えている。
【００１７】
ブルートゥースモジュール４８は、携帯電話機１０のブルートゥースモジュール２２と通信接続されてデータ通信を行うものである。ブルートゥースモジュール４８は、予めペアリングと呼ばれる通信設定処理を行うことで、互いのデバイス情報や認証鍵のデータが無線信号により通信相手と交換され、その後、この通信設定処理を毎回行うことなく、この通信相手と自動的に或いは半自動的に通信接続されたり通信接続が解除されたりするようになっている。例えば、電子時計４０と携帯電話機１０とが電波が届かない範囲に離れれば通信接続が解除され、電波が届く範囲に近づけば自動的に通信接続されたり、或いは接続の操作により半自動的に通信接続されたりする。
【００１８】
ＲＡＭ４３には、ワールドタイム機能の実現に必要な設定データの格納領域（現地時間付属情報の記憶手段）として、現地のタイムゾーンのデータが格納される記憶領域４３ａと、現地の夏時間の設定状況を表わすＤＳＴ（Daylight Saving Time）データが格納される記憶領域４３ｂとが設けられている。
【００１９】
ＲＯＭ４２には、制御プログラムとして、計時回路４５の計時データに従って現地時間の時刻表示を行ったり設定時刻にアラーム動作を行ったりする基本時計モード処理、スイッチ４４の入力に応じて動作モードを変更したり各種設定を行う操作入力処理、ユーザによりペアリング操作が行われた場合にペアリング処理とワールドタイム機能に必要な設定処理とを行う制御処理、都市を選択させて当該都市の時刻表示を行うワールドタイムモード処理、および、携帯電話機１０との各種連携動作を行う携帯連携処理の各プログラムが格納されている。また、ＲＯＭ４２には、制御データとして、世界の各都市のタイムゾーンや夏時間の情報を表わす各都市データ４２ａが格納されている。
【００２０】
携帯電話機１０は、図３に示すように、機器の全体的な制御を行うＣＰＵ１１と、ＣＰＵ１１が実行する制御プログラムや制御データを格納したＲＯＭ１２と、ＣＰＵ１１に作業用のメモリ空間を提供するＲＡＭ１３と、複数の操作キーを有する操作部１４と、種々の機能表示を行う液晶表示部（ＬＣＤ）１５およびそのドライバ１６と、通話時の音声入出力を行うスピーカ１７およびマイク１８と、入出力される音声信号とデジタルデータとの相互変換を行うコーデック１９と、アンテナＡＮ１１を介して携帯電話網の基地局との間で無線信号の送受信を行うＲＦ送受信回路２０と、コーデック１９から入出力される通話音声のデジタルデータや種々の送受信データの変調および復調処理を行う通信回路２１と、アンテナＡＮ１２を介して近距離無線通信を行う第２無線通信手段としてのブルートゥースモジュール２２と、ブルートゥースモジュール２２を介して送受信されるデータに対してシリアル／パラレル変換等のデータ処理を行うＵＡＲＴ２３と、振動により着信を知らせる振動モータ２４およびそのドライバ２５と、現在時刻を計数する内蔵時計２６と、ＣＰＵ１１と各部との間で信号をやりとりするバス２７等を備えている。上記ＣＰＵ１１により後述のローカルタイム情報取得転送処理のアプリケーションを実行する処理実行手段（コンピュータ）が構成される。
【００２１】
上記のＲＦ送受信回路２０と通信回路２１とは、基地局と通話に関する信号の交信を行うほか、データ通信手段として通信ネットワークに接続してデータ通信を行うことが可能になっている。また、これらＲＦ送受信回路２０と通信回路２１は、基地局との交信によりサービスエリア情報を受信する地区情報取得手段としても機能するようになっている。
【００２２】
ブルートゥースモジュール２２は、電子時計４０のブルートゥースモジュール４８と通信接続を行ってデータ通信を行うものである。ブルートゥースモジュール２２には、半自動的にペアリング処理を行う機能（第２通信設定制御手段）も搭載され、ペアリング指令が入力されることで、デバイス情報や認証鍵のデータを無線信号により通信相手と交換して自動的に通信設定を行うようになっている。
【００２３】
ブルートゥースの通信規約には、特定のデータをやり取りするための複数種類のプロファイルが策定されており、ブルートゥースモジュールには、複数種類のプロファイルのうち何れかが選択的に実装される。また、一つのプロファイルの中にも、実装／非実装を選択できる細かいオプション機能が用意されている。
【００２４】
上記プロファイルの一つには、時刻関連の情報をやり取りするためのプロファイル（タイム・プロファイルと記す）がある。また、このタイム・プロファイルの中には、世界標準時と現地時間との関係を表わすローカルタイム情報をやり取りするオプション機能が用意されている。ローカルタイム情報には、現地のタイムゾーンと夏時間（ＤＳＴ：Daylight Saving Time）の設定状況の情報が含まれる。この実施形態においては、上記ローカルタイム情報が現地時間付属情報の通知データの一実施例であり、ローカルタイム情報をやり取りするオプション機能についての通信規約が、現地時間付属情報の通知データをやり取りするための通信仕様の一実施例である。
【００２５】
従って、ブルートゥース通信機能を搭載した携帯電話機であっても、上記ローカルタイム情報をやり取りするタイム・プロファイルのオプション機能が実装されているものと、非実装のものが混在することになる。この実施形態では、このオプション機能が非実装の携帯電話機１０が電子時計４０の通信相手として適用されている例を示している。
【００２６】
この携帯電話機１０のＲＯＭ１２には、基地局との無線信号の送受信を行って通話やメールの送受信を行う電話処理のプログラム、電子時計４０とブルートゥースモジュール２２を介した無線通信を行って種々の連携動作を実現する時計連携処理のプログラム、電子時計４０のワールドタイム機能に必要なローカルタイム情報を電子時計４０に設定するためのローカルタイム情報取得転送処理のプログラム１２ａ等が格納されている。このローカルタイム情報取得転送処理のプログラム１２ａは、ＲＯＭ１２に格納するほか、例えば、データ読取装置を介してＣＰＵ１１が読み取り可能な、例えば、光ディスク等の可搬型記憶媒体、フラッシュメモリ等の不揮発性メモリに格納しておくことが可能である。また、このようなプログラムがキャリアウェーブ（搬送波）を媒体として通信回線を介して携帯電話機１０にダウンロードされる形態を適用することもできる。
【００２７】
［ペアリング処理］
次に、上記構成の携帯電話機１０と電子時計４０のペアリング時の動作について説明する。ペアリングは、電子時計４０と携帯電話機１０とでブルートゥースの通信接続を可能とするための通信設定処理であり、一般に、両者間で新規にブルートゥース通信を開始させる際に実行される。ペアリングを行う際には、電子時計４０と携帯電話機１０とを近くに配置した状態で、ユーザが所定の操作を行って両者をペアリングモードに移行させる。両者がペアリングモードとなることで、両者のブルートゥースモジュール２２，４８の間でデバイスのアドレスや認証鍵のコード等が無線信号によりやり取りされて各々で通信設定が行われる。
【００２８】
この実施形態の電子時計４０では、ペアリングモードに移行させる操作が行われた場合に、図４の制御処理が開始されて、上記の通信設定の処理に加えて、ワールドタイム機能に必要なデータ設定に関する処理も実行されるようになっている。
【００２９】
図４には、電子時計４０のＣＰＵ４１によりペアリング操作時に実行される制御処理のフローチャートを示す。
【００３０】
ペアリングの操作が行われて、図４の制御処理が開始されると、先ず、ＣＰＵ４１は、ブルートゥースモジュール４８のＲＦ回路の電源をオンし（ステップＳ１）、ブルートゥースモジュール４８にペアリング処理を実行させる（ステップＳ２：第１通信設定制御手段）。これにより、ブルートゥースモジュール４８が無線信号によりペアリング要求を送信し、応答があった機器とデバイス情報と認証鍵のコード等を交換して、互いに通信接続可能なように通信設定が自動的に行われる。
【００３１】
続いて、ＣＰＵ４１は、通信相手のブルートゥースモジュール２２に実装されているプロファイルを参照する処理をブルートゥースモジュール４８に実行させる（ステップＳ３）。このプロファイルの参照機能はブルートゥースのサービスに予め備わるものである。この処理により、通信相手にプロファイルの参照要求が送られて通信相手から実装されているプロファイルの情報が送信される。受信された通信相手のプロファイルの情報はＣＰＵ４１により読み取り可能にされる。
【００３２】
プロファイルの情報を受信したら、ＣＰＵ４１は、先ず、通信相手にタイム・プロファイルが実装されているか判別する（ステップＳ４）。その結果、実装されていなければ、そのままステップＳ１２へ移行する。一方、実装されていれば、次に、タイム・プロファイルのローカルタイム情報についてのオプション機能が実装されているか否かを判別する（ステップＳ５：通信仕様判別手段）。
【００３３】
その結果、このオプション機能が実装されていれば、タイム・プロファイルを使用したデータのやり取りによりローカルタイム情報を通信相手から受信し（ステップＳ６）、このローカルタイム情報から現地のタイムゾーンと夏時間の設定状況のデータを読み出して、ＲＡＭ４３の記憶領域４３ａ，４３ｂにタイムゾーンデータとＤＳＴデータとを設定する（ステップＳ７）。これらステップＳ６，Ｓ７の処理により第１設定制御手段が構成される。そして、ステップＳ１２へ移行する。
【００３４】
一方、ステップＳ５の判別処理で、通信相手にローカルタイム情報のオプション選択が無いと判別されたら、通信相手にタイム・プロファイルの通信仕様によらずにローカルタイム情報の取得と転送を行わせるために、この通信相手に特定のアプリケーション（携帯電話機１０のローカルタイム情報取得転送処理）の起動を要求する信号をブルートゥース通信により送信する（ステップＳ８：起動要求送信手段）。
【００３５】
起動要求信号を送信したら、ＣＰＵ４１は、通信相手からローカルタイム情報が受信されたか確認し（ステップＳ９）、受信されていなければ所定時間が経過してタイムアウトとなったか判別し（ステップＳ１０）、タイムアウトになっていなければ、ステップＳ９に戻って受信確認を繰り返す。
【００３６】
この受信確認の間に、通信相手の携帯電話機１０でローカルタイム情報取得転送処理が実行されて電子時計４０でローカルタイム情報の受信が確認されたら、ステップＳ９で“ＹＥＳ”側へ移行する。そして、このローカルタイム情報から現地のタイムゾーンと夏時間の設定状況のデータを読み出して、ＲＡＭ４３の記憶領域４３ａ，４３ｂにタイムゾーンデータとＤＳＴデータとを設定する（ステップＳ１１：第２設定制御手段）。その後、ステップＳ１２へ移行する。
【００３７】
また、通信相手にローカルタイム情報取得転送処理のアプリケーションが導入されていない場合など、ローカルタイム情報の受信がないまま所定時間が経過してタイムアウトになったら、ステップＳ１０で受信確認のループを抜けて、そのままステップＳ１２へ移行する。
【００３８】
ステップＳ１２に移行したら、次から、ペアリング処理なしで自動的或いは半自動的に通信相手と通信接続できるように、ペアリングを行った通信相手のデバイス情報を保存する（ステップＳ１２）。そして、このペアリング操作時の制御処理を終了して基本時計モード処理へ移行する。
【００３９】
［携帯電話機１０のブルートゥース受信処理］
図５には、携帯電話機１０のＣＰＵ１１により実行されるブルートゥース受信処理のフローチャートを示す。
【００４０】
次に、携帯電話機１０において電子時計４０と通信接続されている期間に実行されるブルートゥース受信処理について説明する。このブルートゥース受信処理は、ブルートゥースモジュール２２の通信によって受信されたデータやコマンドに対応するための処理であり、携帯電話機１０のＣＰＵ１１により他の制御処理と並列的に実行される。
【００４１】
このブルートゥース受信処理は、ペアリング処理により電子時計４０との通信接続が確立された際にも実行される。このブルートゥース受信処理が開始されると、ＣＰＵ１１は、ブルートゥースモジュール２２を介して通信データが受信されたか確認し（ステップＳ２１）、受信が確認されたら受信データがコマンドであるかデータであるかを判別する（ステップＳ２２）。その結果、データであれば対応するデータ処理を行う（ステップＳ２３）。一方、コマンドであれば、コマンドの内容を識別し（ステップＳ２４）、ローカルタイム情報取得転送処理のアプリケーション起動要求コマンドであればこのアプリケーションを起動させる（ステップＳ２６：起動要求応答手段）。その他のコマンドであれば、各コマンドに応じた処理を起動させる（ステップＳ２５）。
【００４２】
そして、ステップＳ２３，Ｓ２５，Ｓ２６で対応する処理を行ったら、再び、ステップＳ２１の受信確認の処理に戻って、上記の処理を繰り返す。
【００４３】
［携帯電話機１０のローカルタイム情報取得転送処理］
図６には、携帯電話機１０のＣＰＵ１１により実行されるローカルタイム情報取得転送処理のフローチャートを示す。
【００４４】
上記のブルートゥース受信処理において、ローカルタイム情報取得転送処理のアプリケーション起動要求コマンドが受信されると、図６の処理が開始される。このローカルタイム情報取得転送処理は、ブルートゥースのタイム・プロファイルの通信仕様を利用せずに、ブルートゥースの通常のデータ通信によってローカルタイム情報を電子時計４０に転送するための処理である。
【００４５】
電子時計４０から起動要求があってローカルタイム情報取得転送処理が開始されると、携帯電話機１０のＣＰＵ１１は、先ず、通信回路２１とＲＦ送受信回路２０を介した基地局との交信により、現在接続されている基地局のサービスエリア情報を取得する（ステップＳ３１：第１制御機能）。
【００４６】
次いで、ＣＰＵ１１は、基地局を介した無線通信により例えばインターネットなどの通信ネットワークに接続し（ステップＳ３２）、続いて、この通信ネットワーク上の所定のサーバ装置に接続する（ステップＳ３３）。このサーバ装置は、世界全国の地区情報と該当地区のローカルタイム情報（タイムゾーンおよび夏時間の情報）とが対応づけられて登録されているデータベースを有し、地区情報を指定することで、この地区のローカルタイム情報を引き出すことが可能なように構成されている。
【００４７】
携帯電話機１０のＣＰＵ１１は、上記サーバ装置に接続したら、サービスエリア情報から基地局の地区情報を抽出して、この地区情報をサーバ装置へ送信し（ステップＳ３４）、その応答としてサーバ装置から送られてく該当地区のローカルタイム情報を受信する（ステップＳ３５）。これらステップＳ３２〜Ｓ３５の処理により第２制御機能が構成される。次いで、このローカルタイム情報をブルートゥースモジュール２２の無線通信により電子時計４０に転送する（ステップＳ３６：第３制御機能）。そして、このローカルタイム情報取得転送処理を終了する。
【００４８】
上記のブルートゥース受信処理およびローカルタイム情報取得転送処理により、携帯電話機１０のブルートゥースモジュール２２がローカルタイム情報をやりとりするタイム・プロファイルのオプション機能を実装していない場合でも、電子時計４０と携帯電話機１０とをペアリングする際に、独自のアプリケーションの処理により携帯電話機１０によりローカルタイム情報が取得されて電子時計４０へ転送されるようになっている。
【００４９】
［ワールドタイムモード処理］
続いて、上記のローカルタイム情報に基づくデータ設定によって実現されるワールドタイムモード処理について説明する。ワールドタイムモード処理は、ユーザが電子時計４０のスイッチ４４を操作してワールドタイムモードに動作モードを切り換えることで電子時計４０のＣＰＵ４１によって開始される。
【００５０】
図７には、ワールドタイムモード処理のフローチャートを示す。
【００５１】
ワールドタイムモード処理が開始されると、ＣＰＵ４１は、液晶表示部４６に都市の選択を行わせる表示を行い、都市を選択するスイッチ４４からの操作信号を入力する処理を行う（ステップＳ４１）。
【００５２】
そして、ステップＳ４１においてユーザがスイッチ４４を操作して都市が選択されたら、ＣＰＵ４１は、ＲＡＭ４３の記憶領域４３ａ，４３ｂに記憶されているタイムゾーンデータおよびＤＳＴデータ、ならびに、ＲＯＭ４２に格納されている各都市データ４２ａとから、現地時間と選択された都市の時間との時差を計算する（ステップＳ４２）。
【００５３】
続いて、ＣＰＵ４１は、選択都市の時刻として、計時回路４５の計時時刻から時差を差し引いた時刻を計算して、これを液晶表示部４６に表示出力する（ステップＳ４３：表示制御手段）。そして、ワールドタイムモードの終了操作がなされたか判別し（ステップＳ４４）、終了の操作がなされなければ、ステップＳ４３に戻って選択都市の時刻の表示出力を継続的に繰り返し実行する。一方、終了の操作がなされれば、このワールドタイムモード処理を終了して、基本時計モードの処理へと移行する。
【００５４】
このようなワールドタイムモード処理により、記憶領域４３ａ，４３ｂに設定されたタイムゾーンデータおよびＤＳＴデータに基づいて、選択された各都市の現在時刻を電子時計４０の液晶表示部４６に表示させることができる。
【００５５】
以上のように、この実施形態の電子時計４０によれば、ペアリング処理の際、通信相手にローカルタイム情報をやり取りするタイム・プロファイルのオプション機能が実装されているか否かを判別し、実装されていれば、このオプション機能を用いたローカルタイム情報の受信を行ってワールドタイム機能に必要なデータ設定を行う。それにより、このデータ設定をユーザの手間を省いて行うことができる。また、標準化された通信仕様を使用しているため、通信相手を余り選ぶことのない汎用性が得られる。
【００５６】
一方、通信相手にローカルタイム情報をやり取りするタイム・プロファイルのオプション機能が実装されていない場合には、タイム・プロファイルを使用せずにローカルタイム情報を取得させて転送させるアプリケーションの起動要求を電子時計４０から携帯電話機１０に送り、このアプリケーションの処理によって転送されてくるローカルタイム情報を電子時計４０が受信して、ワールドタイム機能に必要なデータ設定が行われるようになっている。従って、通信相手の携帯電話機１０にローカルタイム情報をやり取りするタイム・プロファイルのオプション機能が実装されていない場合でも、通信相手の携帯電話機１０に上記アプリケーションを導入しておくことで、ローカルタイム情報を電子時計４０に転送させて、ワールドタイム機能に必要なデータ設定を行えるようになっている。
【００５７】
また、ペアリング処理は、１回実行することで、その後、通信相手と通信接続するたびに毎回実行する必要がないものであり、この実施形態の電子時計４０は、ペアリング処理の際にローカルタイム情報を通信相手から受信してタイムゾーンデータやＤＳＴデータの設定が行われるようになっている。従って、これらのデータ設定を適宜な時期に適宜な頻度で行うことができる。
【００５８】
そして、上記のようにペアリング処理の際に行われるデータ設定により、他のタイムゾーンの時刻表示を行うワールドタイム機能を正常に働かせることができる。また、ペアリング処理の際に設定されるデータには、タイムゾーンデータとＤＳＴデータとが含まれるので、夏時間も考慮された正確な他の都市の時刻を表示することができる。
【００５９】
また、この実施形態の電子時計４０と携帯電話機１０とからなる通信システムによれば、携帯電話機１０に、ローカルタイム情報取得転送処理のアプリケーションが導入され、電子時計４０からの起動要求によりこのアプリケーションが起動するようになっている。従って、通信相手の携帯電話機１０にローカルタイム情報に関するタイム・プロファイルのオプション機能が実装されていなくても、上記ローカルタイム情報取得転送処理によりローカルタイム情報を電子時計４０に転送して、ワールドタイム機能に必要な電子時計４０のデータ設定を行えるようになっている。
【００６０】
また、ローカルタイム情報取得転送処理では、基地局との交信によりサービスエリア情報を取得し、このサービスエリア情報から現地の地区情報を求めるようになっている。従って、この処理により、ユーザが現在居る地区のローカルタイム情報を正しく取得して電子時計４０へ転送することができる。
【００６１】
なお、本発明は、上記実施の形態に限られるものではなく、様々な変更が可能である。例えば、上記実施形態では、無線通信手段としてブルートゥースの通信手段を例示したが、無線通信手段の通信規格はブルートゥースに限られるものではなく、これと同様に、タイムゾーンや夏時間の設定に必要な情報を通知するための標準化された通信仕様があり、この通信仕様を選択的に搭載できるように策定された通信規格があれば、この通信規格の無線通信手段を適用しても、本発明の効果が同様に奏される。
【００６２】
また、上記実施形態では、腕時計型の電子時計を例示したが、置時計型の電子時計としても良い。また、通信相手は、携帯電話機のほか、例えば、通信ネットワークと接続可能な種々の情報端末を適用することができる。
【００６３】
また、上記実施形態では、現地時間付属情報として、タイムゾーンと夏時間の情報が含まれる例を示したが、例えば、タイムゾーンの情報の代わりに、特定の国の時間からの時差情報を採用したり、タイムゾーンを識別可能な都市の識別情報を採用することもできる。また、夏時間の情報は外部から設定するのではなく、予め保持している都市データの中から、現地時刻の都市を指定することで算出するようにしても良い。
【００６４】
また、上記実施形態では、携帯電話機１０が基地局との交信により取得されるサービスエリア情報に基づいて現地の地区情報を求める例を示したが、その他、例えば、ＧＰＳ（全地球測位システム）などの測位衛星の信号から現在の地区情報を求めるように構成することもできる。その他、この実施形態に示した細部は発明の趣旨を逸脱しない範囲で適宜変更可能である。
【００６５】
本発明のいくつかの実施形態を説明したが、本発明の範囲は、上述の実施の形態に限定するものではなく、特許請求の範囲に記載された発明の範囲とその均等の範囲を含む。以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
時刻を計数する計時手段と、
時刻を表示する時刻表示手段と、
世界の時間と現地時間との関係を表わす現地時間付属情報を記憶する記憶手段と、
無線通信を行う第１無線通信手段と、
所定の通信相手と通信接続可能なように前記第１無線通信手段により当該通信相手と通信設定情報を送受信して通信設定を行う第１通信設定制御手段と、
前記通信設定の際に、前記通信相手が前記現地時間付属情報の通知データを送信可能な通信仕様を有しているか判別する通信仕様判別手段と、
前記通信仕様判別手段により前記通信仕様を有していると判別された場合に前記通信相手から前記通知データを取得して前記記憶手段へ前記現地時間付属情報を設定する第１設定制御手段と、
前記通信仕様判別手段により前記通信仕様を有していないと判別された場合に、前記通信相手が前記通信仕様によらずに前記現地時間付属情報の取得と転送とを行う付属情報取得転送処理の起動要求を前記第１無線通信手段により前記通信相手に送信する起動要求送信手段と、
前記起動要求の送信後に前記通信相手から前記現地時間付属情報のデータが転送されてきた場合に、このデータを受信して当該データに基づき前記記憶手段へ前記現地時間付属情報を設定する第２設定制御手段と、
を備えたことを特徴とする電子時計。
＜請求項２＞
前記第１通信設定制御手段により実行される前記通信設定は、
１回実行されることで、毎回実行することなく前記通信相手と通信接続可能となる設定であることを特徴とする請求項１記載の電子時計。
＜請求項３＞
前記記憶手段に記憶された前記現地時間付属情報に基づき、前記時刻表示手段に現地のタイムゾーンとは別のタイムゾーンの時刻を表示することが可能な表示制御手段を備えていることを特徴とする請求項１又は２に記載の電子時計。
＜請求項４＞
前記現地時間付属情報には、
現地のタイムゾーン情報および夏時間の情報が含まれることを特徴とする請求項１〜３の何れか一項に記載の電子時計。
＜請求項５＞
請求項１〜４の何れか一項に記載の電子時計と、当該電子時計の通信相手となる情報端末とを備えた通信システムであって、
前記情報端末は、
前記第１無線通信手段と無線通信が可能な第２無線通信手段と、
所定の通信相手と通信接続可能なように前記第２無線通信手段により当該通信相手と通信設定情報を送受信して通信設定を行う第２通信設定制御手段と、
通信ネットワークに接続してデータ通信可能なデータ通信手段と、
現地の地区情報を取得可能な地区情報取得手段と、
前記地区情報取得手段により現地の地区情報を取得させた後、前記データ通信手段により前記通信ネットワークを介して前記地区情報に対応する前記現地時間付属情報を取得させ、その後、前記第２無線通信手段により当該現地時間付属情報のデータを前記電子時計に転送させる付属情報取得転送処理を実行する処理実行手段と、
前記電子時計から前記付属情報取得転送処理の起動要求を受信した場合に前記処理実行手段により前記付属情報取得転送処理を実行させる起動要求応答手段と、
を備えていることを特徴とする通信システム。
＜請求項６＞
前記地区情報取得手段は、測位衛星の信号を受信して現地の地区情報を取得する構成、或いは、携帯電話網の基地局との無線通信により当該基地局から現地の地区情報を取得する構成であることを特徴とする請求項５記載の通信システム。
＜請求項７＞
請求項１〜３の何れか一項に記載の電子時計の前記第１無線通信手段と無線通信可能な第２無線通信手段と、現地の地区情報を取得可能な地区情報取得手段と、通信ネットワークに接続してデータ通信可能なデータ通信手段とがそれぞれ接続されたコンピュータに、
前記地区情報取得手段により現地の地区情報を取得させる第１制御機能と、
この第１制御機能により取得された前記現地の地区情報に対応する前記現地時間付属情報を前記データ通信手段により前記通信ネットワークを介して取得させる第２制御機能と、
この第２制御機能により取得された前記現地時間付属情報のデータを前記第２無線通信手段により前記電子時計に送信させる第３制御機能と、
を実現させるプログラム。
【符号の説明】
【００６６】
１０    携帯電話機
１１    ＣＰＵ
１２    ＲＯＭ
１２ａ  ローカルタイム情報取得転送処理のプログラム
１３    ＲＡＭ
１４    操作部
２０    ＲＦ送受信回路
２１    通信回路
２２    ブルートゥースモジュール
４０    電子時計
４１    ＣＰＵ
４２    ＲＯＭ
４２ａ  各都市データ
４３    ＲＡＭ
４３ａ  タイムゾーンデータの記憶領域
４３ｂ  ＤＳＴデータの記憶領域
４４    スイッチ
４６    液晶表示部
４８    ブルートゥースモジュール
【図１】
0005640818.tif 000002
【図２】
0005640818.tif 000003
【図３】
0005640818.tif 000004
【図４】
0005640818.tif 000005
【図５】
0005640818.tif 000006
【図６】
0005640818.tif 000007
【図７】
0005640818.tif 000008